(57)【特許請求の範囲】
【請求項１】
外部の電線に接続される第１の端子板、それぞれ異なる外部の電線に接続される一対の第２の端子板、一対の可動接点を有し第１の端子板と接触した状態で反転動作する開閉体、一対の第２の端子板にそれぞれ設けられ前記開閉体の反転動作に応じて各可動接点と択一的に接触／開離する固定接点を具備する接点部と、導電材料から形成され前記一対の第２の端子板との間で電線の芯線をそれぞれ弾性挟持する一対の鎖錠ばねとをスイッチ本体の内部に納装すると共に、スイッチ本体の内部における各第２の端子板の収納部位の間の部位に、絶縁材料から形成され各鎖錠ばねを対応する第２の端子板から離れる向きに同時に押圧することにより電線の接続状態を解除するための解除釦を納装し、一対の第２の端子板の内の一方に鎖錠ばねが対向する部位と、一対の第２の端子板の内の他方に鎖錠ばねが対向する部位との間に配置される絶縁壁を解除釦に設けたことを特徴とするスイッチ装置。
【請求項２】
細長で長手方向に複数の器具取付部を有する開口窓を備えた取付枠の器具取付部と係止離脱自在に係止する取付手段をスイッチ本体に設け、スイッチ本体の短幅方向における外形寸法を、前記開口窓の長手方向の寸法を器具取付部の数で分割した寸法に形成したことを特徴とする請求項１記載のスイッチ装置。
【請求項３】
前記開口窓に対向する細長の窓孔を有し前記取付枠の前方に配置される化粧プレートの前記窓孔内に配設されるスイッチ本体の部位に接点部の切換操作を行うための操作部を設け、当該操作部の前面に操作ハンドルを取着し、当該操作ハンドルを介して前記操作部を操作するとともに、前記操作ハンドルは、前記窓孔の短辺方向に沿う方向の寸法が前記窓孔と略同じ寸法に形成され、且つ、前記窓孔の長手方向に沿う方向の寸法が、前記窓孔の長手方向寸法を前記取付枠に取着されるスイッチ本体の数で分割した寸法に形成されたことを特徴とする請求項２記載のスイッチ装置。
【請求項４】
前記操作ハンドルの前面一側に前記窓孔の長手方向に沿って走る溝を設け、この溝内に取着される長尺状の板片を設け、前記板片の短方向の一辺に前記溝内に設けられた被凹凸係止部と凹凸係止する凹凸係止部を設けるとともに、前記板片の長手方向の両側辺に前記溝内に設けられた被係止部と係止する係止部を設けたことを特徴とする請求項３記載のスイッチ装置。
【請求項５】
前記操作部の厚み寸法は、前記操作ハンドルとの間にネームカードを収納するための空間が設けられるような寸法に形成されたことを特徴とする請求項３記載のスイッチ装置。
【請求項６】
前記操作ハンドルの前面に凹所が設けられ、この凹所の底面にネームカードが配置される底面よりも一段低くなったカード収納凹所を設け、凹所の一方の端面に凹溝を設けるとともに、凹所の他方の端面に貫通孔を設け、凹所に着脱自在に取着されるネームカバーの一端側に前記凹溝に挿入される凸部を設けるとともに、カバーの他端側に前記貫通孔の端縁と係止する係止手段を設けたことを特徴とする請求項３記載のスイッチ装置。
【請求項７】
前記操作ハンドルの前記操作部に対向する面に、前記操作部に設けられた被係止部と係止離脱自在に係止する係止手段を設けたことを特徴とする請求項３記載のスイッチ装置。
【発明の詳細な説明】
【０００１】
【発明の属する技術分野】
本発明は、スイッチ装置に関するものである。
【０００２】
【従来の技術】
この種のスイッチ装置としては、壁面などの造営面に固定される取付枠を用いて埋込配線されるスイッチ本体の内部に接点部を収納し、スイッチ本体の前面に接点部の切換操作を行うための操作部を設けたものがあり、外部の電線に接続される第１の端子板と、それぞれ異なる外部の電線に接続される一対の第２の端子板と、一対の可動接点を有し第１の端子板と接触した状態で反転動作する開閉体と、一対の第２の端子板にそれぞれ設けられ開閉体の反転動作に応じて各可動接点と択一的に接触／開離する固定接点とで構成されるＣ接点タイプの接点部を有するものがあった。
【０００３】
【発明が解決しようとする課題】
上述したスイッチ装置では、一対の第２の端子板との間で電線の芯線をそれぞれ弾性挟持する一対の鎖錠ばねと、各鎖錠ばねを対応する第２の端子板から離れる向きに同時に押圧することにより電線の接続状態を解除するための解除釦とをスイッチ本体の内部に納装し、第２の端子板と鎖錠ばねと解除釦とで所謂速結端子構造の端子部を構成したものも提案されているが、一対の第２の端子板と一対の鎖錠ばねとは解除釦を間に隣接して配置されているため、一対の第２の端子板の間、又は一対の鎖錠ばねの間の絶縁距離を十分確保することができないという問題があった。
【０００４】
本発明は上記問題点に鑑みて為されたものであり、その目的とするところは、絶縁性を高めたスイッチ装置を提供することにある。
【０００５】
【課題を解決するための手段】
上記目的を達成するために、請求項１の発明では、外部の電線に接続される第１の端子板、それぞれ異なる外部の電線に接続される一対の第２の端子板、一対の可動接点を有し第１の端子板と接触した状態で反転動作する開閉体、一対の第２の端子板にそれぞれ設けられ前記開閉体の反転動作に応じて各可動接点と択一的に接触／開離する固定接点を具備する接点部と、導電材料から形成され前記一対の第２の端子板との間で電線の芯線をそれぞれ弾性挟持する一対の鎖錠ばねとをスイッチ本体の内部に納装すると共に、スイッチ本体の内部における各第２の端子板の収納部位の間の部位に、絶縁材料から形成され各鎖錠ばねを対応する第２の端子板から離れる向きに同時に押圧することにより電線の接続状態を解除するための解除釦を納装し、一対の第２の端子板の内の一方に鎖錠ばねが対向する部位と、一対の第２の端子板の内の他方に鎖錠ばねが対向する部位との間に配置される絶縁壁を解除釦に設けたことを特徴とし、解除釦により一対の鎖錠ばねをそれぞれ対応する第２の端子板から離れる向きに同時に押圧することによって、鎖錠ばねと第２の端子板との間に弾性挟持された電線を同時に取り外すことができ、且つ、解除釦には、一対の第２の端子板の間及び一対の鎖錠ばねの間の絶縁距離を確保するための絶縁壁が設けられているので、絶縁壁によりそれぞれ異なる外部の電線が接続される第２の端子板の間の絶縁距離を大きくとることができ、絶縁性能を向上させることができる。
【０００６】
請求項２の発明では、請求項１の発明において、細長で長手方向に複数の器具取付部を有する開口窓を備えた取付枠の器具取付部と係止離脱自在に係止する取付手段をスイッチ本体に設け、スイッチ本体の短幅方向における外形寸法を、前記開口窓の長手方向の寸法を器具取付部の数で分割した寸法に形成したことを特徴とし、既製の取付枠を用いてスイッチ本体を配設することができ、且つスイッチ本体の短幅方向における外形寸法は、前記開口窓の長手方向の寸法を器具取付部の数で分割した寸法に形成されているので、他の配線器具と共に取付枠に取り付けることができる。
【０００７】
請求項３の発明では、請求項２の発明において、前記開口窓に対向する細長の窓孔を有し前記取付枠の前方に配置される化粧プレートの前記窓孔内に配設されるスイッチ本体の部位に接点部の切換操作を行うための操作部を設け、当該操作部の前面に操作ハンドルを取着し、当該操作ハンドルを介して前記操作部を操作するとともに、前記操作ハンドルは、前記窓孔の短辺方向に沿う方向の寸法が前記窓孔と略同じ寸法に形成され、且つ、前記窓孔の長手方向に沿う方向の寸法が、前記窓孔の長手方向寸法を前記取付枠に取着されるスイッチ本体の数で分割した寸法に形成されたことを特徴とし、操作ハンドルは、化粧プレートの窓孔の短辺方向に沿う方向の寸法が窓孔の短辺方向の寸法と略同じ寸法に形成され、窓孔の長手方向に沿う方向の寸法が窓孔の長手方向の寸法に対して取付枠に取り付けられるスイッチ本体の個数を分母とする整数分の１の寸法に形成されているので、スイッチ本体の操作部に比べて操作ハンドルの寸法を大きくすることができ、スイッチ装置の操作性を向上させると共に、見栄えを良くできる。
【０００８】
請求項４の発明では、請求項３の発明において、前記操作ハンドルの前面一側に前記窓孔の長手方向に沿って走る溝を設け、この溝内に取着される長尺状の板片を設け、前記板片の短方向の一辺に前記溝内に設けられた被凹凸係止部と凹凸係止する凹凸係止部を設けるとともに、前記板片の長手方向の両側辺に前記溝内に設けられた被係止部と係止する係止部を設けたことを特徴とし、窓孔の長手方向に沿って走る板片が操作ハンドルの前面に取り付けられるので、この板片により操作ハンドルをスリムでコンパクト（小型）に見せて、見栄えを良くすることができ、しかも板片を操作ハンドルに取り付ける際は、まず板片の短方向の一辺に設けた凹凸係止部を被凹凸係止部に凹凸係止させた後、板片の短方向の他辺を操作ハンドルに押しこむことによって、係止部を被係止部に容易に取り付けることができるから、板片の取付作業を容易に行うことができる。
【０００９】
請求項５の発明では、請求項３の発明において、前記操作部の厚み寸法は、前記操作ハンドルとの間にネームカードを収納するための空間が設けられるような寸法に形成されたことを特徴とし、操作部と操作ハンドルとの間にネームカードを収納するための空間を設けることによって、ネームカードが取り付けられた操作ハンドルを用いることができ、ネームカードの表示からスイッチ装置の用途や名称などを容易に判別できる。
【００１０】
請求項６の発明では、請求項３の発明において、前記操作ハンドルの前面に凹所が設けられ、この凹所の底面にネームカードが配置される底面よりも一段低くなったカード収納凹所を設け、凹所の一方の端面に凹溝を設けるとともに、凹所の他方の端面に貫通孔を設け、凹所に着脱自在に取着されるネームカバーの一端側に前記凹溝に挿入される凸部を設けるとともに、カバーの他端側に前記貫通孔の端縁と係止する係止手段を設けたことを特徴とし、ネームカードが配置されるカード収納凹所は凹所の底面よりも一段低くなっているので、カード収納凹所内に納めたネームカードの位置がずれることがなく、しかもネームカバーは、凸部を凹所の凹溝と係止させると共に、係止手段を貫通孔と係止させることによって凹所に着脱自在に取り付けられるので、ネームカバーの凹所への着脱作業が容易に行え、ネームカードの交換作業にも容易に対応できる。
【００１１】
請求項７の発明では、請求項３の発明において、前記操作ハンドルの前記操作部に対向する面に、前記操作部に設けられた被係止部と係止離脱自在に係止する係止手段を設けたことを特徴とし、操作ハンドルの係止手段と操作部の被係止部とを係止させることによって操作ハンドルは操作部に着脱自在に取り付けられるので、操作ハンドルの着脱作業を容易に行うことができ、操作ハンドルの交換作業にも容易に対応できる。
【００１２】
【発明の実施の形態】
本発明の実施の形態を図面を参照して説明する。
【００１３】
（実施形態１）
本発明の実施形態１を図１乃至図１１を参照して説明する。このスイッチ装置の分解斜視図を図１に、正面図を図２（ａ）に、側面図を図２（ｂ）に、下面図を図２（ｃ）に、断面図を図３にそれぞれ示す。
【００１４】
このスイッチ装置は、前面が開口した略箱状の合成樹脂製のボディ１と、前面が略矩形状に形成されるとともに、ボディ１の前面に被着される合成樹脂製のカバー２とで構成されるスイッチ本体１０を備えている。ボディ１の長手方向の両側面にはそれぞれ一対の係止凸部３が突設されるとともに、カバー２の後端縁からは係止凸部３と係止離脱自在に係止する係止孔４がそれぞれ穿設された舌片５が突設されており、係止凸部３と係止孔４とを凹凸係止させることによってボディ１とカバー２とが組み立てられる。
【００１５】
ボディ１の内部は隔壁によって複数の区画に仕切られており、速結端子部６をそれぞれ収納する端子収納室９，９が両側に設けられ、後述する３路タイプ（Ｃ接点タイプ）の接点部８を収納する接点収納室７が略中央に設けられている。
【００１６】
接点部８は、外部の電線に接続される端子板（第１の端子板）１２と、一対の可動接点２４ａ，２４ｂを有し端子板１２と接触した状態で反転動作する可動接点板（開閉体）１９と、それぞれ異なる外部の電線に接続される固定接点板（第２の端子板）５８，６０と、固定接点板５８，６０にそれぞれ設けられ可動接点板５８，６０の反転動作に応じて各可動接点２４ａ，２４ｂと択一的に接触／開離する固定接点５９，６１とで構成される。端子板１２は導電材料から形成され、断面コ字状に形成されたコ字状部１４を有し、このコ字状部１４に一対の鎖錠ばね１５が配置されて、速結端子部６を構成する。端子板１２のコ字状部１４は中央片１４ａと、中央片１４ａの両端縁から中央片１４ａと略直交する方向にそれぞれ突出する当接片１４ｂおよび接触片１４ｃから構成される。鎖錠ばね１５は弾性を有する導電材料の帯板を曲成して形成され、中央片１５ａの両端部に鎖状片１５ｂおよび接触片１５ｃが形成される。鎖錠ばね１５の中央片１５ａは、端子板１２の当接片１４ｂに当接し、鎖錠片１５ｂは中央片１５ａとの連結部位から先端縁に向かってコ字状部１４の接触片１４ｃに近付く向きに傾斜し、接触片１５ｃは略Ｓ字状に曲成されており、鎖錠ばね１５に設けた鎖錠片１５ｂおよび接触片１５ｃがコ字状部１４の接触片１４ｃと対向する。
【００１７】
また、端子板１２の当接片１４ｂの端部からは、先端に可動接点板１９の揺動支点となる支点突起２２が形成された支持片２３が突設されている。可動接点板１９は導電材料よりなる帯板を略コ字状に曲成して形成され、中央片１９ａの両端縁に側片１９ｂ，１９ｂが形成されており、各側片１９ｂには固定接点５９，６１とそれぞれ接離自在に接触する可動接点２４ａ，２４ｂが形成されている。
【００１８】
固定接点板５８，６０は導電材料から形成されており、固定接点板５８，６０と一対の鎖状ばね１５とで速結端子部６が構成される。一方の固定接点板５８の中央片５８ａ一端側には、鎖錠ばね１５の鎖錠片１５ｂおよび接触片１５ｃと対向する接触片５８ｂが突設されており、中央片５８ａの他端側からは、可動接点板１９の一方の可動接点１９ａと接離自在に接触する固定接点５９が先端に設けられた略Ｌ字状の端子片５８ｃが延設されている。他方の固定接点板６０の中央片６０ａ一端側には、鎖錠ばね１５の鎖錠片１５ｂおよび接触片１５ｃと対向する接触片６０ｂが突設されており、中央片６０ａの他端側からは固定接点６１が先端に設けられた略Ｌ字状の端子片６０ｃが延設されている。
【００１９】
而して、ボディ１の端子収納室９，９に各一対の鎖錠ばね１５と解除釦１７，１７’とをそれぞれ収納した後、一方の端子収納室９内に収納された一対の鎖錠ばね１５を内包するようにして端子板１２のコ字状部１４を一方の端子収納室９に垂下配置すると、端子板１２の支点突起２２が接点収納室７の底部に配置される。また、他方の端子収納室９内に収納された一対の鎖錠ばね１５を内包するようにして、各固定接点板５８，６０の中央片５８ａ，６０ａ及び接触片５８ｂ，６０ｂを他方の端子収納室９に垂下配置すると、各固定接点板５８，６０の端子片５８ｃ，６０ｃが端子収納室７内に配置され、各端子片５８ｃ，６０ｃに設けられた固定接点５９，６１が対向配置される。そして、接点収納室７内に端子板１２の支点突起２２と各固定接点板５８，６０の端子片５８ｃ，６０ｃを配置した状態で、中央片１９ａをボディ１底面側にして可動接点板１９を接点収納室７内に納めると、可動接点板１９の中央片１９ａが端子板１２の支点突起２２と当接し、可動接点板１９が支点突起２２を中心として揺動自在に配置される。尚、ボディ１の両側面の略中央には内方に突出するリブ３３，３３が突設されており、可動接点板１９を接点収納室７内に収納すると、可動接点板１９の両側にリブ３３，３３が配置され、ボディ１の短幅方向における移動がリブ３３，３３によって規制される。また、可動接点板１９の側片１９ｂには側方に突出する突起３７が突設されており、この突起３７がリブ３３と係止することにより、可動接点板１９の揺動範囲が規制される。
【００２０】
ここで、速結端子部６に電線を接続する場合には、電線の被覆が剥かれた芯線（図示せず）を電線挿入孔１６から挿入すると、鎖錠ばね１５のばね力により鎖錠ばね１５の鎖錠片１５ｂ及び接触片１５ｃと、端子板１２の接触片１４ｃ又は固定接点板５８，６０の接触片５８ａ，６０ａとの間に芯線の導体が挟持され、鎖錠片１５ｂの先端縁が芯線の導体に食い込むことによって、芯線の脱落が防止されるようになっている。したがって、電線挿入孔１６に電線の芯線を挿入するだけで、電線の芯線が保持されるとともに、端子板１２への電気的接続がなされるのである。尚、電線挿入孔１６は奥方ほど細くなるように形成されており、電線挿入孔１６からボディ１内に挿入された電線の芯線が端子板１２及び固定接点板５８，６０と鎖錠ばね１５との間に確実に挿入されるようになっている。
【００２１】
また各端子収納室９内には、一対の鎖錠ばね１５の鎖状片１５ｂと対向させて絶縁性を有する合成樹脂から形成された解除釦１７，１７’が収納されている。速結端子部６に接続された電線の芯線を外す場合は、ボディ１の底面に穿設された工具挿入孔１８からマイナスドライバなどの工具を挿入して、解除釦１７，１７’を押圧することにより、解除釦１７，１７’の突起１７ａが鎖状片１５ｂを押圧して、鎖状片１５ｂを端子板１２の接触片１４ｃ又は固定接点板５８，６０の接触片５８ａ，６０ａから離れる向きに撓ませるので、鎖状片１５ｂが芯線の導体から離れ、芯線を容易に引き抜くことができる。なお、解除釦１７，１７’は両側に突起１７ａを有しているので、解除釦１７，１７’を操作することによって一対の鎖錠ばね１５の鎖状片１５ｂを同時に撓ませて、一対の鎖錠ばね１５と芯線との接続状態を同時に解除して、芯線を一度に外すことができる。
【００２２】
ここで、解除釦１７’は、それぞれ異なる外部の電線に接続される固定接点板５８，６０と一対の鎖錠ばね１５とが収納される端子収納室９に配置されており、解除釦１７’には固定接点板５８及び固定接点板５８に対向配置される鎖錠ばね１５が収納される端子収納室９の部位と、固定接点板６０及び固定接点板６０に対向配置される鎖錠ばね１５が収納される端子収納室９の部位とを仕切る絶縁壁１７ｂが一体に形成されている。この絶縁壁１７ｂは、端子収納室９の底部側から開口側にかけて形成されているので、固定接点板５８，６０間の絶縁距離を十分確保して、両固定接点板５８，６０の絶縁性を向上させることができる。
【００２３】
一方、カバー２は前面に略矩形状の開口２５が形成され、開口２５の長手方向略中央の開口縁には前方に突出する軸受け台２６が突設されており、各軸受け台２６の互いに対向する面には溝２７が形成されている。また、カバー２の短幅方向の両側面には、カバー２の前面よりも一段高くなった段部２８，２８が形成され、各段部２８にはそれぞれ側方に突出する一対の係止爪２９が突設されている。ここに、係止爪２９から、施工面に固定される後述のプレート枠（取付枠）１００に設けた器具取付部と係止離脱自在に係止する取付手段が構成される。
【００２４】
接点部８の開閉操作を行うための操作部たる合成樹脂製の反転ハンドル３０は背面が開口した略箱状であって、前面が略矩形状に形成されており、長手方向の両側面にはカバー２の溝２７に入り込む突起３１がそれぞれ突設されている。また、反転ハンドル３０前面の長手方向における一端側には開口３４が穿設され、開口３４の両側には側方に突出する爪３５，３５が突設され、反転ハンドル３０前面の長手方向における他端側略中央には側方に突出する爪３６が突設されている。また、反転ハンドル３０前面の裏側にはコイルばね３２が納められる略円筒状のばね収納部（図示せず）が設けられている。
【００２５】
反転ハンドル３０の前面側には合成樹脂製の操作ハンドル３８ｂが着脱自在に取り付けられる。操作ハンドル３８ｂは、図４及び図５に示すように、反転ハンドル３０の前面を覆う矩形状の主部７４ａと主部７４ａの周縁から全周にわたって背方に突出する側壁７４ｂとを連続一体に形成した略箱型のもので、主部７４ａ裏面の長手方向略中央には弾性を有する係止爪片３９，４０が突設されている。係止爪片３９，４０の先端には内方に突出する爪３９ａ，４０ａが突設され、係止爪片３９，４０の爪３９ａ，４０ａと反転ハンドル３０の爪３５，３６とを係止させることにより、操作ハンドル３８ｂの長手方向における中心とスイッチ本体１０の短幅方向における中心とが略一致するようにして、操作ハンドル３８ｂが反転ハンドル３０に取り付けられる。ここに、爪３５，３６から被係止部が構成され、係止爪片３９，４０から爪３５，３６と係止離脱自在に係止する係止手段が構成される。
【００２６】
また、反転ハンドル３０の開口３４に対応する操作ハンドル３８ｂの部位には、操作ハンドル３８ｂの長手方向に沿って走る溝４１が形成されている。溝４１の長手方向の略中央には操作ハンドル３８ｂを貫通する長孔状の孔５４が形成され、溝４１の両端部および中間部位には操作ハンドル３８ｂを貫通する孔４３ａ〜４３ｄが穿設されており、溝４１の一端側に穿設された孔４３ａの奥方には被凹凸係止部たる凹所４４が形成されている。
【００２７】
この溝４１内には長尺状の板片からなるハンドルライン４５ｂが取り付けられる。図１、図４及び図５に示すように、ハンドルライン４５ｂの短方向の一辺には溝４１の一端側に設けた凹所４４と凹凸係止する凹凸係止部としての凸部４７が突設されている。またハンドルライン４５ｂの長手方向の両側縁における孔４３ｂ〜４３ｄに対応する部位には背方に突出する係止爪片４８が突設され、係止爪片４８の先端には外側に突出する爪４９が突設されている。而して、ハンドルライン４５ｂを操作ハンドル３８ｂに取り付ける際は、図５（ａ）（ｂ）に示すように、先ずハンドルライン４５ｂの凸部４７を操作ハンドル３８ｂの孔４３ａ内に挿入して凹所４４と係止させ、この凸部４７を支点としてハンドルライン４５ｂを図５（ｂ）中の矢印の向きに回転させ、ハンドルライン４５ｂの係止爪片４８を対応する孔４３ｂ〜４３ｄ内にそれぞれ挿入して、係止爪片４８の先端に設けた爪４９と孔４３ｂ〜４３ｄの端縁とを係止させることにより、ハンドルライン４５ｂが操作ハンドル３８ｂに取り付けられる。ここに、孔４３ｂ〜４３ｄの端縁から溝４１内に設けられた被係止部が構成され、係止爪片４８から、ハンドルライン４５ｂの長手方向の両側辺に設けられ孔４３ｂ〜４３ｄの端縁と係止する係止部が構成される。
【００２８】
ところで、図３７および図３８に示すように、操作ハンドル３８ｂの前面に形成された溝４１の両端部および中間部に孔４３ａ〜４３ｄを形成すると共に、ハンドルライン４５ｂの長手方向の両側縁における孔４３ａ〜４３ｄに対応する部位に背方に突出する係止爪片４８を形成し、係止爪片４８の先端に外側に突出する爪４９を突設した場合、ハンドルライン４５ｂを操作ハンドル３８ｂに取り付ける際に、図３９（ａ）〜（ｃ）に示すように、ハンドルライン４５ｂを操作ハンドル３８ｂに対して略平行にして、ハンドルライン４５ｂの係止爪片４８を対応する孔４３ａ〜４３ｄ内に挿入し、ハンドルライン４５ｂを操作ハンドル３８ｂ側に押圧することにより、ハンドルライン４５ｂを操作ハンドル３８ｂに取り付けるのであるが、ハンドルライン４５ｂは長尺状に形成されており短幅方向の寸法が短くなっているので、図３９（ｄ）に示すようにハンドルライン４５ｂが回転しやすく、組立作業がやりにくいという問題がある。
【００２９】
それに対して本実施形態では、ハンドルライン４５ｂの短方向に沿う一辺に凸部４７を突設し、先ず凸部４７を溝４１の一端側に穿設された孔４３ａに挿入して、孔４３ａの奥方に設けられた凹所４４と凸部４７とを凹凸係止させた後、凸部４７を支点としてハンドルライン４５ｂの他端側を操作ハンドル３８ｂ側に押し込み、係止爪片３８を対応する孔４３ｂ〜４３ｄに挿入して、爪３９と孔４３ｂ〜４３ｄの端部とを係止させているので、図３９（ｄ）に示すようにハンドルライン４５ｂが回転して、取り付けにくくなることはない。
【００３０】
ここで、本実施形態のスイッチ装置を組み立てる手順について簡単に説明する。先ずボディ１の各端子収納室９内に一対の鎖錠ばね１５および解除釦１７，１７’を収納するとともに、接点収納室９内に端子板１２、固定接点板５８，６０、可動接点板１９を収納した状態で、コイルばね３２の一端をばね収納部内に納めた反転ハンドル３０を、コイルばね３２の他端が可動接点板１９の中央片１９ａに入り込むようにしてボディ１に組み込んだ後、カバー２をボディ１の前面側から取り付けて、ボディ１の係止凸部３とカバー２の係止孔４とを凹凸係止させることにより、ボディ１とカバー２とを結合する。この時、可動接点板１９と反転ハンドル３０との間でコイルばね３２が押し撓められ、コイルばね３２のばね力によって反転ハンドル３０の突起３１が軸受け部２６の溝２７に押しつけられ、反転ハンドル３０は切り換えられた状態を保持する。
【００３１】
次に、図６（ａ）に示すように反転ハンドル３０を図中左下がりに傾斜させた状態（すなわち反転ハンドル３０の２個の爪３５が突設された側を、爪３６が突設された側よりも図中上側にした状態）で、図６（ｂ）に示すように反転ハンドル３０の爪３５に対応する係止爪片４０の爪４０ａを爪３５に係止させた後、操作ハンドル３８ｂの略中央をスイッチ本体１０側に押圧して、係止爪片３９に突設された爪３９ａと反転ハンドル３０の爪３６とを係止させることにより、操作ハンドル３８ｂが反転ハンドル３０に取り付けられる。
【００３２】
一方、操作ハンドル３８ｂを反転ハンドル３０から取り外す際は、先ず図７（ａ）に示すように反転ハンドル３０および操作ハンドル３８ｂが図中右下がりに傾斜している状態（すなわち反転ハンドル３０の２個の爪３５が突設された側を、爪３６が突設された側よりも図中下側にした状態）で、カバー２の段部２８と操作ハンドル３８ｂとの間にマイナスドライバなどの工具１５０を差し込み、段部２８を支点にして工具１５０を図中左回りに倒すと、図７（ｂ）に示すように操作ハンドル３８ｂの側壁７４ｂが工具１５０により外側に引っ張られ、主部７４ａが撓んで、主部７４ａの裏面に突設された係止爪片３９が外側に傾斜するので、係止爪片３９の爪３９ａと反転ハンドル３０の爪３６との係止状態が外れ、操作ハンドル３８ｂを反転ハンドル３０から取り外すことができる（図７（ｃ）参照）。このように、操作ハンドル３８ｂを反転ハンドル３０に着脱自在に取り付けているので、操作ハンドル３８ｂの破損時には操作ハンドル３８ｂだけを交換することができ、また様々な色の操作ハンドル３８ｂを用意することにより、施工現場の雰囲気に合わせた色の操作ハンドル３８ｂを選択して取り付けることができる。なお、操作ハンドル３８ｂの主部７４ａ裏側には、反転ハンドル３０の前面および側面の一部と当接するリブ５１ａ，５１ｂが突設されているので、反転ハンドル３０に操作ハンドル３８ｂを取り付けた際に、操作ハンドル３８ｂのがたつきを抑えることができる。
【００３３】
このスイッチ装置は、施工面に固定されるプレート枠１００に着脱自在に取り付けられる。図８（ａ）（ｂ）に示すように、プレート枠１００は絶縁性を有する合成樹脂により矩形枠状に形成され、中央部にはスイッチ本体１０の前面に取り付けられた操作ハンドル３８ｂを前面側に露出させるために矩形状の開口窓１０１が設けられている。この開口窓１０１の周縁背面側には、開口窓１０１の長手方向に沿って互いに対向するように帯状の固定梁部１０２および可動梁部１０３が設けてある。可動梁部１０３はプレート枠１００の長手方向に沿った一対の側枠片１０４ａ，１０４ｂの一方の側枠片１０４ｂから離間し、且つ連結部１０５によりその両端において側枠片１０４ｂに一体に連結している。ここで、可動梁部１０３および連結部１０５を含めてプレート枠１００を形成している合成樹脂は可撓性材料であり、プレート枠１００に対して可動梁部１０３および連結部１０５はそれぞれ撓み自在となっている。
【００３４】
また、側枠片１０４ｂから一体に延設された幅狭の一対のリブ１０６によって可動梁部１０３が支持されており、可動梁部１０３と側枠片１０４ｂとの間にできる隙間が上記リブ１０６によって３つの部分（以下、各部分をスリット１０７ａ〜１０７ｃと呼ぶ）に分割されることになる。このうち、両側のスリット１０７ａ，１０７ｃは外側端部が連結部１０５の方へ屈曲させてある。さらに側枠片１０４ｂの各リブ１０６近傍の部位には、可動梁部１０３を撓み易くさせるための長孔状の溝１０８が一対設けてある。
【００３５】
一方、固定梁部１０２および可動梁部１０３の開口窓１０１側の面には、スイッチ本体１０の両側面から一対づつ突設された係止爪２９が係止する器具取付部たる係止溝１０９，１１０を各々３対づつ等ピッチで設けてある。従って、スイッチ本体１０に設けた係止爪２９を各係止溝１０９，１１０に係止することにより、操作ハンドル３８ｂを開口窓１０１から露出させた状態で、プレート枠１００にスイッチ本体１０を取着することができる。ここで、固定梁部１０２および可動梁部１０３の先端部分には、スイッチ本体１０の係止爪２９を各係止溝１０９，１１０にガイドするため、各々外側に向けて傾斜したテーパ面を有するガイド部１１１，１１２が設けてある。すなわち、図９（ａ）（ｂ）に示すようにプレート枠１００にスイッチ装置のスイッチ本体１０を取り付ける際は、スイッチ本体１０の係止爪２９をガイド部１１１，１１２のテーパ面に当接させた状態で、スイッチ本体１０をプレート枠１００の背面側から前面側に押し込めば、係止爪２９がガイド部１１１，１１２のテーパ面に沿って移動することにより、ガイド部１１１，１１２にガイドされてスムーズに係止溝１０９，１１０に係止することができるのである。
【００３６】
ここで、プレート枠１００の開口窓１０１に対して開口窓１０１の長手方向に沿ってスイッチ本体１０を３個並べて取り付けることができるようにスイッチ本体１０の取付位置を限定するために、固定梁部１０２および可動梁部１０３の係止溝１０９，１１０の近傍に仕切りリブ１１９を突設している。これらの仕切りリブ１１９は、固定梁部１０２および可動梁部１０３の内側面に各一対づつ計３組が設けられた係止溝１０９，１１０の各組の外側の位置にそれぞれ一対づつがプレート枠１００と一体に突設されている。仕切りリブ１１９はプレート枠１００にスイッチ本体１０を取り付けた際にスイッチ本体１０側面の少なくとも一部に当接するような位置に突設されているので、スイッチ本体１０をプレート枠１００に取り付けた状態でスイッチ本体１０のがたつきを抑えることができる。
【００３７】
また固定梁部１０２には各係止溝１０９の間にプレート枠１００の前面側から貫通する器具外し孔１１３が穿設してあって、ドライバや取り外し専用の治具などの先端部分をこの器具外し孔１１３に挿入し、治具の先端部分でスイッチ本体１０を可動梁部１０３側へ押してやれば梃子の原理によって僅かな力で可動梁部１０３を撓ますことができ、固定梁部１０２側の係止溝１０９とスイッチ本体１０の係止爪２９との係止状態を解除してプレート枠１００からスイッチ本体１０を容易に取り外すことができる。なお、カバー２の両側面には、器具外し孔１１３から挿入された治具の先端が当接する傾斜部７６が形成されており、治具の先端が傾斜部７６と当接することにより、可動梁部１０３を撓ませる力を容易に発生することができ、スイッチ本体１０の取り外し作業を容易に行うことができる。
【００３８】
ところで、開口窓１０１の寸法は図２に示すスイッチ本体１０の寸法を配線器具の基準寸法（以下、この寸法を「１個モジュール寸法」と呼ぶ）としたときに、スイッチ本体１０の長手方向を開口窓１０１の長手方向と略直交させた状態で１個モジュール寸法のスイッチ本体１０が長手方向と直交する方向に３個並べて取り付けることができる寸法に形成してある。同様にプレート枠１００の固定梁部１０２および可動梁部１０３に設けた各係止溝１０９，１１０のピッチは、１個モジュール寸法のスイッチ本体１０の側面に突設されている係止爪２９のピッチと等しくなっている。なお、上記１個モジュール寸法は適当な値に設定すれば良く、このようなモジュール寸法に適合した配線器具であれば、共通にプレート枠１００に取り付けることができる。
【００３９】
またプレート枠１００の長手方向に対向する両側片１１４には各々凹所１１５が形成してあり、凹所１１５には、プレート枠１００を埋込ボックス（図示せず）に取り付けるためのボックスねじを挿通する長孔１１６と、プレート枠１００を壁面等の造営面に取り付けるためのねじが挿通されるねじ挿通孔１１７と、造営面を形成する壁パネルなどに取り付ける際に使用するはさみ金具（図示せず）を係止するはさみ金具係止孔１１８とが設けてある。
【００４０】
プレート枠１００の前面側には合成樹脂製の化粧プレート１３０を着脱自在に取り付けることができるようになっており、図１０に示すように化粧プレート１３０はプレート枠１００の前面を覆う矩形状の主部１３１と主部１３１の周縁から全周にわたって後方に突出する側壁１３２とを連続一体に形成した略箱型のもので、背方に向けて突出する係止突起１３３をプレート枠１００の係止孔１２０に挿入係止することでプレート枠１００の前面に配設される。主部１３１の略中央にはプレート枠１００の開口窓１０１と対向する細長の窓孔１３４が穿設されており、この窓孔１３４からスイッチ本体１０に取着された操作ハンドル３８ｂが露出する。
【００４１】
ここで、操作ハンドル３８ｂの短幅方向寸法（すなわち化粧プレート１３０の窓孔１３４の短幅方向に沿う方向の寸法）が窓孔１３４の短幅方向寸法と略同じ寸法に形成され、操作ハンドル３８ｂの長手方向寸法（すなわち窓孔１３４の長手方向に沿う方向の寸法）が窓孔１３４の長手方向寸法と略同じ寸法（すなわち１分の１の寸法）に形成されており、操作ハンドル３８ｂは、窓孔１３４の長手方向に沿う方向における中心をスイッチ本体１０の中心と略一致させて、スイッチ本体１０に取り付けられているので、図１１（ａ）に示すようにスイッチ本体１０は、プレート枠１００の固定梁部１０２および可動梁部１０３に各３組づつ設けられた係止溝１０９，１１０の内、プレート枠１００の長手方向略中央に設けられた係止溝１０９，１１０の組に係止爪２９を係止させて、プレート枠１００に取り付けられる。
【００４２】
上述のように操作ハンドル３８ｂは、短幅方向の寸法が窓孔１３４の短幅方向の寸法と略同じ寸法に形成され且つ長手方向の寸法が窓孔１３４の長手方向の寸法と略同じ寸法に形成されているので、反転ハンドル３０に比べて操作ハンドル３８ｂを十分大きな寸法に形成することができ、スイッチ装置の操作性を向上させることができる。また、操作ハンドル３８ａの操作面が大きく見えるため、窓孔１３４の長手方向に沿う方向に伸びるハンドルライン４５ａを操作ハンドル３８ａの一端側に取り付けることによって、操作ハンドル３８ａをスリムでコンパクト（小型）に見せ、見栄えを良くしている。
【００４３】
このスイッチ装置の動作について以下に簡単に説明する。図３に示すように、操作ハンドル３８ｂおよび反転ハンドル３０が図中右下がりに傾斜し、可動接点２４ａが固定接点５９と接触し且つ可動接点２４ｂが固定接点６１と開離している状態（すなわち固定接点板５８が可動接点板１９を介して端子板１２に電気的に接続されている状態）で、操作ハンドル３８ｂの図中左側を押圧すると、操作ハンドル３８ｂを押圧する力によって反転ハンドル３０は反転動作し、図中左下がりに傾斜した状態となる。反転ハンドル３０の反転動作に応じてコイルばね３２は図中右側に反るため、コイルばね３２の曲がり具合に応じて可動接点板１９が支点突起２２を支点として図中右回りに回動し、可動接点２４ａが固定接点５９と開離すると共に、可動接点２４ｂが固定接点６１と接触し、固定接点板６０が可動接点板１９を介して端子板１２に電気的に接続される。この時、反転ハンドル３０はコイルばね３２のばね力によって反転した状態を保持し、可動接点２４ｂが固定接点６１と接触した状態を維持する。
【００４４】
一方、操作ハンドル３８ｂおよび反転ハンドル３０が図３中左下がりに傾斜し、可動接点２４ａが固定接点５９と開離し且つ可動接点２４ｂが固定接点６１と接触している状態で、操作ハンドル３８ｂの図中右側を押圧すると、操作ハンドル３８ｂを押圧する力によって反転ハンドル３０が反転動作し、図中右下がりに傾斜した状態となる。反転ハンドル３０の反転動作に応じてコイルばね３２は図中左側に反るため、コイルばね３２の曲がり具合に応じて可動接点板１９が支点突起２２を支点として図３中左回りに回動し、可動接点２４ｂが固定接点６１と開離すると共に、可動接点２４ａが固定接点５９と接触し、固定接点板５８が可動接点板１９を介して端子板１２に電気的に接続される。この時、反転ハンドル３０はコイルばね３２のばね力によって反転した状態を保持し、可動接点２４ａが固定接点５９と接触した状態を維持する。なお、操作ハンドル３８ｂの主部７４ａ裏面には背方に突出する略Ｖ字状のリブ７５が一対突設されており、操作ハンドル３８ｂの端部が押圧された際にリブ７５の先端がカバー２と当接するので、操作ハンドル３８ｂがスイッチ本体１０側に沈み込むのを防止することができる。
【００４５】
（実施形態２）
本実施形態のスイッチ装置を図１２乃至図１７を参照して説明する。実施形態１ではプレート枠１００に１個のスイッチ装置が取り付けられる場合について説明したが、本実施形態ではプレート枠１００に２個のスイッチ装置を並設する場合について説明する。尚、ボディ２及び操作ハンドル３８ｅ以外の構成は実施形態１と同様であるので、同一の構成要素には同一の符号を付して、その説明を省略する。
【００４６】
ところで、図４０〜図４２に示すようにスイッチ本体１０を、取付枠１００の開口窓１０１の上側および下側の取付位置に取り付ける場合、図４２中上側の取付位置に取り付けられるスイッチ装置では、図４０に示すようにスイッチ本体１０の短幅方向の中心よりも操作ハンドル３８の中心を図中下側にずらした状態で操作ハンドル３８がスイッチ本体１０に取り付けられており、図４２中下側の取付位置に取り付けられるスイッチ装置では、図４１に示すようにスイッチ本体１０の短幅方向の中心よりも操作ハンドル３８の中心を図中上側にずらした状態で操作ハンドル３８がスイッチ本体１０に取り付けられている。したがって、各スイッチ装置の取付位置が図４２中上側または下側の取付位置に限定されるため、施工時に上下を間違える虞があり、しかも図４２中上側または下側の取付位置に取り付けられるスイッチ装置毎に、専用の操作ハンドル３８を用意する必要があるためコストアップとなるという問題がある。そこで本実施形態のスイッチ装置では、プレート枠１００の各側枠片１０４ａ，１０４ｂに設けられた隣接する３個の係止溝１０９，１１０の内、両側の係止溝１０９，１１０に係止爪２９を係止させることによって、プレート枠１００の上下いずれの取付位置にも取付可能にしている。
【００４７】
本実施形態のスイッチ装置では、窓孔１３４の長手方向に沿う方向におけるスイッチ本体１０の中心位置を操作ハンドル３８ｅの中心位置と一致させた状態で、スイッチ本体１０がプレート枠１００に取り付けられるような取付ピッチで係止爪２９がカバー２の両側面に突設されている。すなわち、カバー２前面の両端部に設けられた段部２８に、プレート枠１００の固定梁部１０２および可動梁部１０３にそれぞれ設けられた隣接する３個の係止溝１０９，１１０の内の両側に位置する係止溝１０９，１１０とそれぞれ係止する係止爪２９を２個づつ突設するとともに、隣接する３個の係止溝１０９，１１０の内、隣接するいずれか２個の係止溝１０９，１１０の間に設けられた１対の仕切りリブ１１９がそれぞれ入り込む１対の溝５０を２組づつ設けている。また、操作ハンドル３８ｅは、化粧プレート１３０の窓孔１３４の長手方向に沿う方向の寸法が、窓孔１３４の長手方向寸法の略２分の１の寸法に形成されており、窓孔１３４の長手方向に沿う方向におけるスイッチ本体１０の中心と操作ハンドル３８ｅの中心とが略一致するようにして、操作ハンドル３８ｅがスイッチ本体１０に取り付けられている。
【００４８】
なお、カバー２の両側面には、器具外し孔１１３から挿入された治具の先端が当接する傾斜部７６が形成されており、治具の先端が傾斜部７６と当接することにより、可動梁部１０３を撓ませる力を容易に発生することができ、スイッチ本体１０の取り外し作業を容易に行うことができる。傾斜部７６は、スイッチ本体１０の短幅方向において広範囲に形成されており、スイッチ本体１０がプレート枠１００の何れの取付位置に取り付けられたとしても、治具の先端が確実に傾斜部７６に当接するので、スイッチ本体１０の取り外し作業を容易に行うことができる。
【００４９】
図１７に示すようにプレート枠１００の長手方向に沿って本実施形態のスイッチ本体１０を２個並べて取り付ける場合、図中上側の位置に取り付けられるスイッチ本体１０では、固定梁部１０２および可動梁部１０３に３組づつ設けられた係止溝１０９，１１０の内、図中上側に設けられた組の中の上側にある係止溝１０９，１１０と、図中中央に設けられた組の中の上側にある係止溝１０９，１１０に、スイッチ本体１０の両側面に突設させた係止爪２９を係止させることにより、プレート枠１００に取り付けられる。一方、図中下側の位置に取り付けられるスイッチ本体１０では、図中中央に設けられた組の中の下側にある係止溝１０９，１１０と、図中下側に設けられた組の中の下側にある係止溝１０９，１１０に、スイッチ本体１０の両側面に突設させた係止爪２９を係止させることにより、プレート枠１００に取り付けられる。この時、係止溝１０９，１１０の各組の間にそれぞれ設けられた２個の仕切りリブ１１９は、段部２８に設けた溝５０に入り込むので、仕切りリブ１１９が干渉してスイッチ本体１０が取り付けられなくなることはない。
【００５０】
また操作ハンドル３８ｅの前面には、化粧プレート１３０の窓孔１３４の長手方向に沿う方向に走る溝４１が形成されており、溝４１には長尺状の板片からなるハンドルライン４５ｅが取り付けられる。溝４１の両端部には操作ハンドル３８を貫通する孔４３ａ，４３ｂが穿設されており、一方の孔４３ａの奥方には凹所４４が形成されている。また、図１６（ａ）に示すように、ハンドルライン４５ｅの短方向の一辺には、溝４１の一端側に設けた凹所４４と凹凸係止する凸部４７が突設されている。またハンドルライン４５ｅの長手方向の両側縁における孔４３ｂに対応する部位には背方に突出する係止爪片４８が突設され、係止爪片４８の先端には外側に突出する爪４９が突設されている。而して、ハンドルライン４５ｅを操作ハンドル３８ｅに取り付ける際は、図１６（ｂ）に示すように、先ずハンドルライン４５ｅの凸部４７を操作ハンドル３８ｅの孔４３ａ内に挿入し、この凸部４７を支点としてハンドルライン４５ｅを図１６（ｂ）中の矢印の向きに回転させ、ハンドルライン４５ｅの係止爪片４８を孔４３ｂ内に挿入して、係止爪片４８の先端に設けた爪４９と孔４３ｂの端縁とを係止させることにより、ハンドルライン４５ｅが操作ハンドル３８ｅに取り付けられる。
【００５１】
このように、ハンドルライン４５ｅを操作ハンドル３８ｅに取り付ける際は、ハンドルライン４５ｅの一端に設けられた凸部４７を操作ハンドル３８ｅの孔４３ａ内に挿入し、この凸部４７を支点としてハンドルライン４５ｅの他端を操作ハンドル３８ｄの前面に押し込むことにより、ハンドルライン４５ｅを操作ハンドル３８ｅに取り付けているので、ハンドルライン４５ｅが回転して、取付作業がやりにくくなるのを防止できる。
【００５２】
上述のように、操作ハンドル３８ｅは、化粧プレート１３０の窓孔１３４の長手方向に沿う方向の寸法が、窓孔１３４の長手方向寸法の略２分の１の寸法に形成されており、操作ハンドル３８ｅの操作面が広くなっているので、スイッチ装置の操作性を向上させることができる。また操作ハンドル３８ｅには、窓孔１３４の長手方向に沿って、ハンドルライン４５ｅが取着されているので、操作ハンドル３８ｅの見栄えを良くできる。
【００５３】
（実施形態３）
実施形態１ではプレート枠１００に１個のスイッチ装置が取り付けられる場合について説明したが、本実施形態ではプレート枠１００に３個のスイッチ装置を並設する場合について説明する。本実施形態のスイッチ装置では、図１８（ａ）〜（ｃ）に示すように、化粧プレート１３０の窓孔１３４の長手方向に沿う方向の操作ハンドル３８ｈの寸法が、窓孔１３４の長手方向の寸法の略３分の１の寸法に形成されており、図１１（ｂ）に示すようにプレート枠１００の長手方向に３個並べてスイッチ装置を取り付けることができる。また操作ハンドル３８ｈの一端側には窓孔１３４の長手方向に沿って走る溝が形成され、この溝内にハンドルライン４５ｈが取り付けられている。なお、操作ハンドル３８ｈおよびハンドルライン４５ｈの寸法関係以外は実施形態１のスイッチ装置と同様であるので、その説明は省略する。
【００５４】
（実施形態４）
本発明の実施形態４を図１９乃至図２２を参照して説明する。本実施形態のスイッチ装置では、実施形態１のスイッチ装置において、接点部８の接点状態に応じて点灯／消灯する点灯表示部５２を設けている。このスイッチ装置の分解斜視図を図１９に、正面図を図２０（ａ）に、側面図を図２０（ｂ）に、下面図を図２０（ｃ）に、断面図を図２１にそれぞれ示す。また、このスイッチ装置に用いる操作ハンドル３８ｂにハンドルライン４５ａを取り付けた状態の正面図を図２２（ａ）に、側面図を図２２（ｂ）に、裏面図を図２２（ｃ）に、Ａ−Ａ’断面図を図２２（ｄ）に、Ｂ−Ｂ’断面図を図２２（ｅ）にそれぞれ示す。尚、実施形態１のスイッチ装置と同一の構成要素には同一の符号を付して、その説明を省略する。
【００５５】
このスイッチ装置では、接点部８の接点状態に応じてオンオフされる負荷（例えば照明負荷）のオフ時に点灯してスイッチ装置の場所を表示する点灯表示部５２を反転ハンドル３０内に組み込み、反転ハンドル３０の前面に穿設された開口３４に点灯表示部５２のネオンランプ５３を臨ませている。プリズム５５ｂは、操作ハンドル３８ｂの溝４１内に形成された孔５４に挿通される細長の凸部６２を有し、操作ハンドル３８ｂの裏面側から孔５４内に凸部６２を挿通した状態で、プリズム５５ｂは操作ハンドル３８ｂにかしめ固定される。また、操作ハンドル３８ｂの溝４１内に取り付けられるハンドルライン４５ａには凸部６２を挿通させる長孔４６が形成されており、プリズム５５ｂがかしめ固定された操作ハンドル３８ｂにハンドルライン４５ａを取り付けると、ハンドルライン４５ａの長孔４６からプリズム５５ｂの凸部６２が前面側に露出する。而して、操作ハンドル３８ｂを反転ハンドル３０に取り付けると、プリズム５５ｂの入射面５７がネオンランプ５３に対向して配置され、入射面５７から入射したネオンランプ５３の光はプリズム５５ｂ内で屈折されて凸部６２から外部に出射され、負荷のオフ時にスイッチ装置の位置を表示することができる。尚、凸部６２の先端面は平らに形成されており、凸部６２の先端面と操作ハンドル３８ｂ及びハンドルライン４５ａの表面とを略面一にしているので、操作ハンドル３８ｂの見栄えが良くなる。
【００５６】
ここで、点灯表示部５２を構成するネオンランプ５３などの部品が実装された基板５２ａは、基板５２ａの裏面に設けられた電極（図示せず）と弾接する弾接部６３ａ，６４ａを有する導電部材６３，６４を介して固定端子板５８，６０間に電気的に接続されており、負荷のオフ時に導電部材６３，６４を介して点灯表示部５２に給電されて、ネオンランプ５３が点灯する。ネオンランプ５３の光はプリズム５５ｂの入射面５７に入射し、プリズム５５ｂ内で屈折されて凸部６２から外部に出射され、負荷のオフ時にスイッチ装置の位置を表示することができる。
【００５７】
なお、本実施形態のスイッチ装置では、実施形態１のスイッチ装置と同じ操作ハンドル３８ｂを用いており、操作ハンドル３８ｂを共用することによって部品の種類を減らし、コストダウンを図っている。
【００５８】
（実施形態５）
本発明の実施形態５を図２３乃至図２６を参照して説明する。本実施形態では、実施形態２のスイッチ装置において、実施形態４で説明した点灯表示部５２を設けている。このスイッチ装置の分解斜視図を図２３に、正面図を図２４（ａ）に、側面図を図２４（ｂ）に、下面図を図２４（ｃ）に、断面図を図２５にそれぞれ示す。また、このスイッチ装置に用いる操作ハンドル３８ｅにハンドルライン４５ｄを取り付けた状態の正面図を図２６（ａ）に、側面図を図２６（ｂ）に、裏面図を図２６（ｃ）に、Ａ−Ａ’断面図を図２６（ｄ）に、Ｂ−Ｂ’断面図を図２６（ｅ）にそれぞれ示す。尚、実施形態２又は４のスイッチ装置と同一の構成要素には同一の符号を付して、その説明を省略する。
【００５９】
操作ハンドル３８ｅは、化粧プレート１３０の窓孔１３４の長手方向に沿う方向の寸法が、窓孔１３４の長手方向寸法の略２分の１の寸法に形成されており、操作ハンドル３８ｅの一端側には窓孔１３４の長手方向に沿う方向に走る溝４１が形成されている。操作ハンドル３８ｅの溝４１の長手方向における略中央には、操作ハンドル３８ｅを貫通する長孔状の孔５４が穿設されている。実施形態４と同様に操作ハンドル３８ｅには、操作ハンドル３８ｅの裏面側から孔５４内に凸部６２を挿入した状態でプリズム５５ｂがかしめ固定され、この操作ハンドル３８ｅを反転ハンドル３０に取り付けると、プリズム５５ｂの入射面５７がネオンランプ５３に対向して配置される。また、操作ハンドル３８ｅの溝４１に取り付けられるハンドルライン４５ｄには、プリズム５５ｂの凸部６２が挿通される長孔４６が形成されており、プリズム５５ｂがかしめ固定された操作ハンドル３８ｅにハンドルライン４５ｄを取り付けると、ハンドルライン４５ｄの長孔４６からプリズム５５ｂの凸部６２が前面側に露出する。而して、入射面５７から入射したネオンランプ５３の光はプリズム５５ｂ内で屈折されて凸部６２から外部に出射され、負荷のオフ時にスイッチ装置の位置を表示することができる。
【００６０】
なお、本実施形態のスイッチ装置では、実施形態２のスイッチ装置と同じ操作ハンドル３８ｅを用い、実施形態４のスイッチ装置と同じプリズム５５ｂを用いており、操作ハンドル３８ｅおよびプリズム５５ｂを共用することによって部品の種類を減らし、コストダウンを図っている。
【００６１】
（実施形態６）
本発明の実施形態６を図２７を参照して説明する。本実施形態では、実施形態３のスイッチ装置において、実施形態４で説明した点灯表示部５２を設けている。尚、実施形態３又は４のスイッチ装置と同一の構成要素には同一の符号を付して、その説明を省略する。
【００６２】
このスイッチ本体では、化粧プレート１３０の窓孔１３４の長手方向に沿う方向の操作ハンドル３８ｈの寸法が、窓孔１３４の長手方向の寸法の略３分の１の寸法に形成され、操作ハンドル３８ｈの一端側には窓孔１３４の長手方向に沿う方向に走る溝（図示せず）が形成され、この溝内にハンドルライン４５ｇが取着される。ハンドルライン４５ｇには、操作ハンドル３８ｈにかしめ固定されたプリズム５５ｂの凸部６２を挿通させる長孔４６が穿設されており、ハンドルライン４５ｇを操作ハンドル３８ｈに取り付けると、プリズム５５ｂの凸部６２がハンドルライン４５ｇの長孔４６から前面側に露出する。而して、反転ハンドル３０内に納められたネオンランプの光はプリズム５５ｂ内で屈折し、凸部６２から外部に出射されるので、負荷のオフ時にスイッチ装置の設置位置を表示することができる。
【００６３】
なお、本実施形態のスイッチ装置では、実施形態３のスイッチ装置と同じ操作ハンドル３８ｈを用い、実施形態４と同じプリズム５５ｂを用いており、操作ハンドル３８ｈ、プリズム５５ｂを共用することによって部品の種類を減らし、コストダウンを図っている。
【００６４】
（実施形態７）
本実施形態のスイッチ装置を図２８乃至図３６を参照して説明する。本実施形態では、スイッチ装置の名称や用途などを表示するために、実施形態１のスイッチ装置においてスイッチ装置の名称や用途などの文字情報が表示された表示部材たるネームカード６５を操作ハンドル３８ｂ’に取り付けて、ユーザがスイッチ装置の名称や用途などを容易に判別できるようにしている。なお、実施形態１のスイッチ装置と同一の構成要素には同一の符号を付して、その説明を省略する。
【００６５】
図３０（ａ）〜（ｃ）に示すように、操作ハンドル３８ｂ’の前面における溝４１以外の部位には一段低くなった凹所６６が形成され、凹所６６の長手方向における略中央には凹所６６よりもさらに一段低くなった表示部材収納凹所たるカード収納凹所６９が形成されている。凹所６６の端面におけるカード収納凹所６９両側の部位には、凹所６６の端面から内側に入り込む凹部７０，７０が形成され、この凹部７０，７０は操作ハンドル３８ｂ’の背面側に連通している。また溝４１側の凹所６６端面のカード収納凹所６９を挟んで対称の位置には、凹所６６端面から内側に入り込む凹溝６７，６７が形成されており、この凹溝６７，６７は操作ハンドル３８ｂ’の背面側に連通している。また、溝４１と反対側の凹所６６端面のカード収納凹所６９を挟んで対称の位置には、操作ハンドル３８ｂ’を貫通する凹溝６７よりも大きな貫通孔６８，６８が穿設されている。
【００６６】
操作ハンドル３８ｂ’の凹所６６には透明な樹脂から形成された略矩形状のネームカバー７１が着脱自在に取り付けられる。図３１（ａ）〜（ｃ）に示すように、ネームカバー７１における凹溝６７，６７に対応する部位には側方に突出する凸部７２，７２が突設されており、ネームカバー７１における貫通孔６８，６８に対応する部位には背面側に突出する係止手段たる係止爪片７３，７３が突設され、各係止爪片７３には外側に突出する爪７３ａが突設されている。
【００６７】
このように、ネームカード６５が取り付けられる凹所６６を有した操作ハンドル３８ｂ’では凹所６６の分だけ前面の厚みが増しており、図４３および図４４に示すように、反転ハンドル３０の厚み寸法Ｄ１が大きい場合、反転ハンドル３０に操作ハンドル３８を取り付けた状態で、反転ハンドル３０の前面と操作ハンドル３８の裏面との間に隙間がないため、ネームカード６５が収納される凹所６６を有する操作ハンドル３８ｂ’を取り付けることができないが、本実施形態では図３５に示すように反転ハンドル３０の厚み寸法Ｄ１を十分薄くすることによって、図３に示すように反転ハンドル３０に操作ハンドル３８ｂを取り付けた状態で、反転ハンドル３０の前面と操作ハンドル３８ｂの裏面との間にネームカード６５を取り付けるための空間を確保することができ、ネームカード６５を収納するための凹所６６を有した操作ハンドル３８ｂ’を反転ハンドル３０に取り付けることができる。
【００６８】
ここで、ネームカード６５を操作ハンドル３８ｂ’に取り付ける際は、図３２（ａ）〜（ｅ）に示すように、先ずネームカード６５のいずれか一端を、一方の凹部７０内に挿入した後、ネームカード６５を撓ませてネームカード６５の他端を他方の凹部７０に挿入することにより、容易に取り付けることができる。そして、ネームカード６５をカード収納凹所６９内に取り付けた後、図３３（ａ）〜（ｃ）に示すように、先ずネームカバー７１の凸部７２を凹溝６７に挿入した後、凸部７２を支点にしてネームカバー７１の係止爪片７３側を操作ハンドル３８ｂ’の前面側から押し込むと係止爪片７３が貫通孔６８に挿入され、ネームカバー７１を操作ハンドル３８ｂ’に押し込む力によって係止爪片７３が内側に撓まされて、係止爪片７３の爪７３ａが操作ハンドル３８ｂ’の裏面側に入り込み、爪７３ａが貫通孔６８の端縁と係止することによりネームカバー７１が操作ハンドル３８ｂ’に取り付けられる。なお、ネームカード６５が配置されるカード収納凹所６９は凹所６６の底面よりも一段低くなっているので、ネームカード６５の位置がずれにくくなっている。
【００６９】
一方、ネームカバー７１を取り外す際は、図３４（ａ）〜（ｃ）に示すように、ネームカバー７１の係止爪片７３を図３４（ａ）中の矢印の方向に撓ませると、爪７３ａと貫通孔６８の端縁との係止状態が外れ、この状態で係止爪片７３を操作ハンドル３８ｂ’の前面側に押すと、ネームカバー７１が凸部７２を支点にして図中右回りに回転して係止爪片７３が貫通孔６８から外れ、ネームカバー７１を操作ハンドル３８ｂ’から容易に取り外すことができる。
【００７０】
本実施形態では、化粧プレート１３０の窓孔１３４の長手方向に沿う方向の操作ハンドル３８ｂ’の寸法を、窓孔１３４の長手方向寸法と略同じ寸法に形成しているが、図３６（ａ）〜（ｃ）に示すように窓孔１３４の長手方向寸法の略２分の１の寸法に形成しても良いし、窓孔１３４の長手方向寸法の略３分の１の寸法に形成しても良い。また、実施形態２〜６のスイッチ装置に、ネームカード６５を収納する凹所６６が設けられた操作ハンドルを用いても良く、ネームカード６５の取付構造は上述と同様であるので、その説明は省略する。
【００７１】
【発明の効果】
上述のように請求項１の発明は、外部の電線に接続される第１の端子板、それぞれ異なる外部の電線に接続される一対の第２の端子板、一対の可動接点を有し第１の端子板と接触した状態で反転動作する開閉体、一対の第２の端子板にそれぞれ設けられ前記開閉体の反転動作に応じて各可動接点と択一的に接触／開離する固定接点を具備する接点部と、導電材料から形成され前記一対の第２の端子板との間で電線の芯線をそれぞれ弾性挟持する一対の鎖錠ばねとをスイッチ本体の内部に納装すると共に、スイッチ本体の内部における各第２の端子板の収納部位の間の部位に、絶縁材料から形成され各鎖錠ばねを対応する第２の端子板から離れる向きに同時に押圧することにより電線の接続状態を解除するための解除釦を納装し、一対の第２の端子板の内の一方に鎖錠ばねが対向する部位と、一対の第２の端子板の内の他方に鎖錠ばねが対向する部位との間に配置される絶縁壁を解除釦に設けたことを特徴とし、解除釦により一対の鎖錠ばねをそれぞれ対応する第２の端子板から離れる向きに同時に押圧することによって、鎖錠ばねと第２の端子板との間に弾性挟持された電線を同時に取り外すことができ、且つ、解除釦には、一対の第２の端子板の間及び一対の鎖錠ばねの間の絶縁距離を確保するための絶縁壁が設けられているので、絶縁壁によりそれぞれ異なる外部の電線が接続される第２の端子板の間の絶縁距離を大きくとることができ、絶縁性能が向上するという効果がある。
【００７２】
請求項２の発明は、請求項１の発明において、細長で長手方向に複数の器具取付部を有する開口窓を備えた取付枠の器具取付部と係止離脱自在に係止する取付手段をスイッチ本体に設け、スイッチ本体の短幅方向における外形寸法を、前記開口窓の長手方向の寸法を器具取付部の数で分割した寸法に形成したことを特徴とし、既製の取付枠を用いてスイッチ本体を配設することができ、且つスイッチ本体の短幅方向における外形寸法は、前記開口窓の長手方向の寸法を器具取付部の数で分割した寸法に形成されているので、他の配線器具と共に取付枠に取り付けることができるという効果がある。
【００７３】
請求項３の発明は、請求項２の発明において、前記開口窓に対向する細長の窓孔を有し前記取付枠の前方に配置される化粧プレートの前記窓孔内に配設されるスイッチ本体の部位に接点部の切換操作を行うための操作部を設け、当該操作部の前面に操作ハンドルを取着し、当該操作ハンドルを介して前記操作部を操作するとともに、前記操作ハンドルは、前記窓孔の短辺方向に沿う方向の寸法が前記窓孔と略同じ寸法に形成され、且つ、前記窓孔の長手方向に沿う方向の寸法が、前記窓孔の長手方向寸法を前記取付枠に取着されるスイッチ本体の数で分割した寸法に形成されたことを特徴とし、操作ハンドルは、化粧プレートの窓孔の短辺方向に沿う方向の寸法が窓孔の短辺方向の寸法と略同じ寸法に形成され、窓孔の長手方向に沿う方向の寸法が窓孔の長手方向の寸法に対して取付枠に取り付けられるスイッチ本体の個数を分母とする整数分の１の寸法に形成されているので、スイッチ本体の操作部に比べて操作ハンドルの寸法を大きくすることができ、スイッチ装置の操作性を向上させると共に、見栄えを良くできるという効果がある。
【００７４】
請求項４の発明は、請求項３の発明において、前記操作ハンドルの前面一側に前記窓孔の長手方向に沿って走る溝を設け、この溝内に取着される長尺状の板片を設け、前記板片の短方向の一辺に前記溝内に設けられた被凹凸係止部と凹凸係止する凹凸係止部を設けるとともに、前記板片の長手方向の両側辺に前記溝内に設けられた被係止部と係止する係止部を設けたことを特徴とし、窓孔の長手方向に沿って走る板片が操作ハンドルの前面に取り付けられるので、この板片により操作ハンドルをスリムでコンパクト（小型）に見せて、見栄えを良くすることができ、しかも板片を操作ハンドルに取り付ける際は、まず板片の短方向の一辺に設けた凹凸係止部を被凹凸係止部に凹凸係止させた後、板片の短方向の他辺を操作ハンドルに押しこむことによって、係止部を被係止部に容易に取り付けることができるから、板片の取付作業を容易に行えるという効果がある。
【００７５】
請求項５の発明は、請求項３の発明において、前記操作部の厚み寸法は、前記操作ハンドルとの間にネームカードを収納するための空間が設けられるような寸法に形成されたことを特徴とし、操作部と操作ハンドルとの間にネームカードを収納するための空間を設けることによって、ネームカードが取り付けられた操作ハンドルを用いることができ、ネームカードの表示からスイッチ装置の用途や名称などを容易に判別できるという効果がある。
【００７６】
請求項６の発明は、請求項３の発明において、前記操作ハンドルの前面に凹所が設けられ、この凹所の底面にネームカードが配置される底面よりも一段低くなったカード収納凹所を設け、凹所の一方の端面に凹溝を設けるとともに、凹所の他方の端面に貫通孔を設け、凹所に着脱自在に取着されるネームカバーの一端側に前記凹溝に挿入される凸部を設けるとともに、カバーの他端側に前記貫通孔の端縁と係止する係止手段を設けたことを特徴とし、ネームカードが配置されるカード収納凹所は凹所の底面よりも一段低くなっているので、カード収納凹所内に納めたネームカードの位置がずれることがなく、しかもネームカバーは、凸部を凹所の凹溝と係止させると共に、係止手段を貫通孔と係止させることによって凹所に着脱自在に取り付けられるので、ネームカバーの凹所への着脱作業が容易に行え、ネームカードの交換作業にも容易に対応できるという効果がある。
【００７７】
請求項７の発明は、請求項３の発明において、前記操作ハンドルの前記操作部に対向する面に、前記操作部に設けられた被係止部と係止離脱自在に係止する係止手段を設けたことを特徴とし、操作ハンドルの係止手段と操作部の被係止部とを係止させることによって操作ハンドルは操作部に着脱自在に取り付けられるので、操作ハンドルの着脱作業を容易に行うことができ、操作ハンドルの交換作業にも容易に対応できるという効果がある。
【図面の簡単な説明】
【図１】実施形態１のスイッチ装置を示す分解斜視図である。
【図２】同上のスイッチ装置を示し、（ａ）は正面図、（ｂ）は側面図、（ｃ）は下面図である。
【図３】同上のスイッチ装置を示す断面図である。
【図４】同上のスイッチ装置に用いる操作ハンドルを示し、（ａ）は正面図、（ｂ）は側面図、（ｃ）は裏面図、（ｄ）はＡ−Ａ’断面図である。
【図５】（ａ）（ｂ）は同上のスイッチ装置に用いるハンドルラインの操作ハンドルへの取付方法を説明する図である。
【図６】（ａ）（ｂ）は操作ハンドルの取付方法を説明する図である。
【図７】（ａ）〜（ｃ）は操作ハンドルの取り外し方法を説明する図である。
【図８】同上のスイッチ装置を施工面に取り付けるために用いるプレート枠を示し、（ａ）は正面図、（ｂ）は裏面図である。
【図９】（ａ）（ｂ）はスイッチ装置のプレート枠への取付方法を説明する図である。
【図１０】同上のプレート枠に取着される化粧プレートを示し、（ａ）は正面側から見た斜視図、（ｂ）は裏面側から見た斜視図である。
【図１１】（ａ）（ｂ）はスイッチ装置のプレート枠への取付状態を説明する図である。
【図１２】実施形態２のスイッチ装置を示す分解斜視図である。
【図１３】同上のスイッチ装置を示し、（ａ）は正面図、（ｂ）は側面図、（ｃ）は下面図である。
【図１４】同上のスイッチ装置を示す断面図である。
【図１５】同上のスイッチ装置に用いる操作ハンドルを示し、（ａ）は正面図、（ｂ）は側面図、（ｃ）は裏面図、（ｄ）はＡ−Ａ’断面図である。
【図１６】（ａ）（ｂ）は同上のスイッチ装置に用いるハンドルラインの操作ハンドルへの取付方法を説明する図である。
【図１７】同上のスイッチ装置のプレート枠への取付状態を説明する図である。
【図１８】実施形態３のスイッチ装置を示し、（ａ）は正面図、（ｂ）は側面図、（ｃ）は下面図である。
【図１９】実施形態４のスイッチ装置を示す分解斜視図である。
【図２０】同上のスイッチ装置を示し、（ａ）は正面図、（ｂ）は側面図、（ｃ）は下面図である。
【図２１】同上のスイッチ装置を示す断面図である。
【図２２】同上のスイッチ装置に用いる操作ハンドルを示し、（ａ）は正面図、（ｂ）は側面図、（ｃ）は裏面図、（ｄ）はＡ−Ａ’断面図、（ｅ）はＢ−Ｂ’断面図である。
【図２３】実施形態５のスイッチ装置を示す分解斜視図である。
【図２４】同上のスイッチ装置を示し、（ａ）は正面図、（ｂ）は側面図、（ｃ）は下面図である。
【図２５】同上のスイッチ装置を示す断面図である。
【図２６】同上のスイッチ装置に用いる操作ハンドルを示し、（ａ）は正面図、（ｂ）は側面図、（ｃ）は裏面図、（ｄ）はＡ−Ａ’断面図、（ｅ）はＢ−Ｂ’断面図である。
【図２７】実施形態６のスイッチ装置を示し、（ａ）は正面図、（ｂ）は側面図、（ｃ）は下面図である。
【図２８】実施形態７のスイッチ装置を示す分解斜視図である。
【図２９】同上のスイッチ装置を示し、（ａ）は正面図、（ｂ）は側面図、（ｃ）は下面図である。
【図３０】同上に用いる操作ハンドルを示し、（ａ）は正面図、（ｂ）はＡ−Ａ’断面図、（ｃ）はＢ−Ｂ’断面図である。
【図３１】同上に用いるネームカバーを示し、（ａ）は正面図、（ｂ）は側面図、（ｃ）はＡ−Ａ’断面図である。
【図３２】（ａ）〜（ｅ）は同上に用いるネームカードの取付方法を説明する図である。
【図３３】（ａ）〜（ｃ）は同上に用いるネームカバーの取付方法を説明する図である。
【図３４】（ａ）〜（ｃ）は同上に用いるネームカバーの取外し方法を説明する図である。
【図３５】同上に用いる反転ハンドルを示し、（ａ）は正面図、（ｂ）は側面図、（ｃ）は下面図である。
【図３６】同上の別のスイッチ装置を示し、（ａ）は正面図、（ｂ）は側面図、（ｃ）は下面図である。
【図３７】比較例の操作ハンドルを示す正面図である。
【図３８】比較例のハンドルラインを示し、（ａ）は正面図、（ｂ）は側面図、（ｃ）は下面図である。
【図３９】（ａ）〜（ｄ）は比較例の操作ハンドルへのハンドルラインの取付方法を説明する図である。
【図４０】比較例のスイッチ装置を示し、（ａ）は正面図、（ｂ）は側面図である。
【図４１】比較例のスイッチ装置を示し、（ａ）は正面図、（ｂ）は側面図である。
【図４２】比較例のスイッチ装置のプレート枠への取付状態を示す図である。
【図４３】比較例の反転ハンドルを示し、（ａ）は正面図、（ｂ）は側面図、（ｃ）は下面図である。
【図４４】比較例の反転ハンドルの取付状態を示す断面図である。
【符号の説明】
１  ボディ
７  接点収納室
８  接点部
９  端子収納室
１２  端子板
１５  鎖錠ばね
１７’  解除釦
１７ｂ  絶縁壁
１９  可動接点板
２４ａ，２４ｂ  可動接点
５８，６０  固定接点板
５９，６１  固定接点
【図１】
0003849402.tif 000002
【図２】
0003849402.tif 000003
【図３】
0003849402.tif 000004
【図４】
0003849402.tif 000005
【図５】
0003849402.tif 000006
【図６】
0003849402.tif 000007
【図７】
0003849402.tif 000008
【図８】
0003849402.tif 000009
【図９】
0003849402.tif 000010
【図１０】
0003849402.tif 000011
【図１１】
0003849402.tif 000012
【図１２】
0003849402.tif 000013
【図１３】
0003849402.tif 000014
【図１４】
0003849402.tif 000015
【図１５】
0003849402.tif 000016
【図１６】
0003849402.tif 000017
【図１７】
0003849402.tif 000018
【図１８】
0003849402.tif 000019
【図１９】
0003849402.tif 000020
【図２０】
0003849402.tif 000021
【図２１】
0003849402.tif 000022
【図２２】
0003849402.tif 000023
【図２３】
0003849402.tif 000024
【図２４】
0003849402.tif 000025
【図２５】
0003849402.tif 000026
【図２６】
0003849402.tif 000027
【図２７】
0003849402.tif 000028
【図２８】
0003849402.tif 000029
【図２９】
0003849402.tif 000030
【図３０】
0003849402.tif 000031
【図３１】
0003849402.tif 000032
【図３２】
0003849402.tif 000033
【図３３】
0003849402.tif 000034
【図３４】
0003849402.tif 000035
【図３５】
0003849402.tif 000036
【図３６】
0003849402.tif 000037
【図３７】
0003849402.tif 000038
【図３８】
0003849402.tif 000039
【図３９】
0003849402.tif 000040
【図４０】
0003849402.tif 000041
【図４１】
0003849402.tif 000042
【図４２】
0003849402.tif 000043
【図４３】
0003849402.tif 000044
【図４４】
0003849402.tif 000045